(57)【要約】      （修正有）【課題】多目的なシーンに合わせて意匠パネルの表裏面を簡単に入れ替えて使用できる意匠パネル取り付け構造を提供する。【解決手段】枠体内部の表面側１１と裏面側にスチール製の意匠パネル２０、２１を着脱自在に取り付けられるマグネット１２ａ〜１２ｃを設け、意匠パネル２０、２１の脱落を防止するストッパー１３，１６を備え、意匠パネル２０、２１の表裏面に表わされた模様・色彩を変えることにより４種類の異なるデザインから選択可能とする。【選択図】図３
0003179908.tif 000002
【実用新案登録請求の範囲】
【請求項１】
枠体の表面側と裏面側の両方に各意匠パネルを装着する意匠パネル取り付け構造において、前記枠体内部の表面側と裏面側にスチール製各意匠パネルを着脱自在に取り付けられるマグネットを設け、前記枠体下部の表面側と裏面側に前記各意匠パネルの脱落を防止するストッパーを備え、前記各意匠パネルの表裏面に表わされた模様・色彩を変えることにより４種類の異なるデザインから選択可能とし、前記意匠パネルの表裏面を簡単に入れ替えて使用できることを特徴とする意匠パネル取り付け構造。
【請求項２】
枠体の表面側に意匠パネルを装着する意匠パネル取り付け構造において、前記枠体は家具の扉部分又は壁面部分に形成され、前記枠体内部の表面側にスチール製意匠パネルを着脱自在に取り付けられるマグネットを設け、前記意匠パネルの表裏面に表わされた模様・色彩を変えることにより２種類の異なるデザインから選択可能とし、前記意匠パネルの表裏面を簡単に入れ替えて使用できることを特徴とする意匠パネル取り付け構造。
【請求項３】
請求項１に記載の意匠パネル取り付け構造を備えたパーテーション。
【請求項４】
請求項１に記載の意匠パネル取り付け構造を備えたウェルカムボード。
【請求項５】
請求項２に記載の意匠パネル取り付け構造を備えた家具。
【考案の詳細な説明】
【技術分野】
【０００１】
本考案は、意匠パネル取り付け構造に関し、更には意匠パネル取り付け構造を備えたパーテーション・ウェルカムボード又は家具に関する。
【背景技術】
【０００２】
従来、意匠パネル取り付け構造について、以下に示すような考案が提案されている。
【０００３】
実用新案登録第３０５６３５５号公報（特許文献１）には、スチールパーティション等で間仕切られた部屋の、意匠性と吸音・防音性向上を、既存部材をできるだけそのまま活かしつつ、簡単な方法で、短時間に実現することを目的し、内空間を間仕切る所与のスチールパーティション等の部材に対して着脱可能に取り付けられる着脱自在意匠パネルであり、該パネル裏面には上記スチールパーティション等に対して、着脱可能に取り付ける為の部材が備えられているもので、室内側、即ちパネル表面は吸音・防音性のある材料を含む部材が装着でき、所望される意匠に合わせ、外観・形状を対応させ、部屋の意匠性を高める「着脱自在意匠パネル」が提案されている。
【０００４】
また、パーティションのパネル片の止着構造等について、以下に示すような考案が提案されている。
【０００５】
実開平６−７３２０８号公報（特許文献２）には、ローパーティションのパネル片であって、該パネル片がパネルフレームに簡単に止着出来、又取外し可能であり、しかも止着された各パネル面は同一面となり、一方では製作工数の低減をもたらすパネル片を提供することを目的し、パネル片は枠体と表板及びクロスで構成し、枠体の裏側へはＶ型の止着片を突出し、一片をフリーな状態にするとともに係止部を設け、表板は表側に着脱自在に止着し、表板及び枠体の表面を被覆するためにクロスを張着する「ローパーティションのパネル片及びパネル片の止着構造」が提案されている。
【０００６】
実用新案登録第３０３０６４８号公報（特許文献３）には、使用者が所望の大きさに簡単に組み立て可能であり、しかも分解も簡単にできるので、修理や所望の大きさに高さの変更が容易で、在庫スペース、運搬コストの軽減を計ることができ、しかもパーティションを提供することを目的とし、幅木と、前記幅木の両側へ組立、分解自在に装着する各別の支柱と、前記各別の支柱間に間隔をおいて係止せしめる横桟と、前記支柱の上端に配置する笠木と、前記幅木と最下段の横桟間およびそれより上の横桟間、それに最上段の横桟と笠木間に配装する枠体と、前記各枠体に着脱自在に係止せしめるパネルとよりなり、前記幅木上面と各横桟の上下面と前記枠体の上下面、それに笠木の下面とにはそれぞれ係着係止用の面ファスナーの一方をそれぞれ固定し、前記各枠体の前後両面と前記パネルの一面側にはそれぞれ係着係止用の面ファスナーの一方をそれぞれ固定した「パーティション」が提案されている。
【先行技術文献】
【特許文献】
【０００７】
【特許文献１】実用新案登録第３０５６３５５号公報
【特許文献２】実開平６−７３２０８号公報
【特許文献３】実用新案登録第３０３０６４８号公報
【考案の概要】
【考案が解決しようとする課題】
【０００８】
本考案は、従来のパネル取り付け構造を応用して更に付加価値を高めたものであり、多目的なシーンに合わせて意匠パネルの表裏面を簡単に入れ替えて使用できる意匠パネル取り付け構造を提供することを目的とする。
【課題を解決するための手段】
【０００９】
上記の課題を解決するために、請求項１に記載の考案は、枠体の表面側と裏面側の両方に各意匠パネルを装着する意匠パネル取り付け構造において、前記枠体内部の表面側と裏面側にスチール製各意匠パネルを着脱自在に取り付けられるマグネットを設け、前記枠体下部の表面側と裏面側に前記各意匠パネルの脱落を防止するストッパーを備え、前記各意匠パネルの表裏面に表わされた模様・色彩を変えることにより４種類の異なるデザインから選択可能とし、前記意匠パネルの表裏面を簡単に入れ替えて使用できることを特徴とする。
【００１０】
また、請求項２に記載の考案は、枠体の表面側に意匠パネルを装着する意匠パネル取り付け構造において、前記枠体は家具の扉部分又は壁面部分に形成され、前記枠体内部の表面側にスチール製意匠パネルを着脱自在に取り付けられるマグネットを設け、前記意匠パネルの表裏面に表わされた模様・色彩を変えることにより２種類の異なるデザインから選択可能とし、前記意匠パネルの表裏面を簡単に入れ替えて使用できることを特徴とする。
【００１１】
また、請求項３に記載の考案は、請求項１に記載の意匠パネル取り付け構造がパーテーションに備えられていることを特徴とする。
【００１２】
また、請求項４に記載の考案は、請求項１に記載の意匠パネル取り付け構造がウェルカムボードに備えられていることを特徴とする。
【００１３】
また、請求項５に記載の考案は、請求項２に記載の意匠パネル取り付け構造が家具に備えられていることを特徴とする。
【考案の効果】
【００１４】
以上のように、本考案にかかる意匠パネル取り付け構造によれば、４種類の異なるデザインから構成される意匠パネルの表裏面を簡単に入れ替えて使用できるようにしたので、パーテーション又はウェルカムボードを多目的なシーンに合わせて使用することができる。
【００１５】
また、家具の扉部分又は壁面部分に２種類の異なるデザインから構成される意匠パネルの表裏面を簡単に入れ替えて使用できるようにしたので、家具のデザインを目的や嗜好に合わせて変えることができる。
【図面の簡単な説明】
【００１６】
【図１】本考案にかかる意匠パネル取り付け構造の第１実施形態を備えたパーテーションの一例を示す正面図である。
【図２】図１に示すパーテーションのＡ−Ａ断面図である。
【図３】図１に示すパーテーションの説明図である。
【図４】本考案にかかる意匠パネル取り付け構造の第２実施形態を備えた収納ワゴンの一例を示す正面図である。
【図５】図４に示す収納ワゴンのＢ−Ｂ断面図である。
【図６】図４に示す収納ワゴンの説明図である。
【考案を実施するための形態】
【００１７】
以下、本考案の実施の形態について図面を参酌しながら説明する。意匠パネル取り付け構造の各構成については、以下の実施例に限定されるものではなく、使用状況によって適宜変更することができる。
【００１８】
図１は意匠パネル取り付け構造の第１実施形態を備えたパーテーションの一例を示す正面図、図２は図１に示すパーテーションのＡ−Ａ断面図、図３は図１に示すパーテーションの説明図である。第１実施形態は、枠体の表面側と裏面側の両方に各意匠パネルを装着することができる意匠パネル取り付け構造に関するものである。
【００１９】
パーテーション１０は、枠体内部の表面側１１にマグネット１２ａ、１２ｂ、１２ｃと、裏面側１４にマグネット１５ａ、１５ｂ、１５ｃがそれぞれ設けられ、図３に示すようにスチール製の意匠パネル（Ａ）２０、意匠パネル（Ｂ）２１が着脱自在に取り付けられる。また、意匠パネル（Ａ）２０、意匠パネル（Ｂ）２１の脱落を防止するために、枠体下部の表面側１１に回動自在のストッパー１３と、裏面側１４に回動自在のストッパー１６がそれぞれ設けられている。なお、枠体の形状については、図示するものに限定されるものではなく、用途に応じて適宜の形状を採用することができ、所要空間の大きさ等を考慮して枠体を連設できるようにするのが好ましい。また、マグネットの形状・個数については、図示するものに限定されるものではなく、意匠パネル（Ａ）２０、意匠パネル（Ｂ）２１をしっかりと吸着できればよい。
【００２０】
意匠パネル（Ａ）２０、意匠パネル（Ｂ）の表裏面に表わされた模様・色彩は、４種類の異なるデザインから構成されている。例えば、立礼用デザイン、講演会用デザイン、企業イベント用デザイン、お見合いパーティー用デザインの４種類のデザインからなる。したがって、パーテーションを回転させる又は意匠パネルの表裏面を入れ替えることにより（図３参照）、一台のパーテーションを多目的なシーンに合わせて使用することができる。
【００２１】
上述した意匠パネル取り付け構造の第１実施形態の適用例としては、パーテーションに合わせたウェルカムボードなどが挙げられる。パーテーションと同様に枠体の表面側と裏面側の両方に各意匠パネルがマグネットにより着脱自在に取り付けられる。このため、ウェルカムボードを回転させる又は意匠パネルの表裏面を入れ替えることにより、一台のウェルカムボードを多目的なシーンに合わせて使用することができる。
【００２２】
図４は意匠パネル取り付け構造の第２実施形態を備えた収納ワゴンの一例を示す正面図、図５は図４に示す収納ワゴンのＢ−Ｂ断面図、図６は図４に示す収納ワゴンの説明図である。第２実施形態は、枠体の表面側に意匠パネルを装着することができる意匠パネル取り付け構造に関するものである。
【００２３】
収納ワゴン３０は、前面に両開き扉３１、３２と上部壁面３３を備えており、枠体は両開き扉３１、３２及び上部壁面３３の表面側領域に形成される。枠体内部の表面側にマグネット３４、３５、３６がそれぞれ設けられ、図６に示すようにスチール製の意匠パネル（Ｃ）４０、４１、意匠パネル（Ｄ）４２が着脱自在に取り付けられる。なお、枠体の形状については、図示するものに限定されるものではなく、収納ワゴンの構成に応じて適宜の形状を採用することができ、収納ワゴンを複数台組み合わせて枠体を連設することもできる。また、マグネットの形状・個数については、図示するものに限定されるものではなく、意匠パネル（Ｃ）４０、４１、意匠パネル（Ｄ）４２をしっかりと吸着できればよい。
【００２４】
意匠パネル（Ｃ）４０、４１、意匠パネル（Ｄ）４２の表裏面に表わされた模様・色彩は、２種類の異なるデザインから構成されている。したがって、飾り付けをする又は意匠パネルの表裏面を入れ替えることにより（図６参照）、一台の収納ワゴンをシーンに合わせて使用することができる。
【００２５】
上述した意匠パネル取り付け構造の第２実施形態の適用例としては、収納ワゴンに限定されるものではなく、家具の扉部分又は壁面部分などで表面側領域に意匠パネルを装着することができる枠体が形成できる構造を有するものであればよい。
【産業上の利用可能性】
【００２６】
本考案にかかる意匠パネル取り付け構造（第１実施形態又は第２実施形態）は、多様な製品に利用することが可能であり、上述した実施例はその一例にすぎない。利用可能性のある対象製品をまとめると、以下のように分類できる。
（１）パーテーション（金・銀・クロス屏風も対応）
（２）家具類（収納家具・ワゴンの扉等々）
（３）システムキッチン等に使用の扉等々
（４）簡易式ステージの天板（リバーシブル対応型）
（５）その他
【符号の説明】
【００２７】
１０  パーテーション
１１  表面側
１２  マグネット
１３  ストッパー
１４  裏面側
１５  マグネット
１６  ストッパー
１７  キャスター
２０  意匠パネル（Ａ）
２１  意匠パネル（Ｂ）
３０  収納ワゴン
３１、３２  両開き扉
３３  上部壁面
３４、３５、３６  マグネット
３７  キャスター
３８  内部棚
４０  意匠パネル（Ｃ）
４１  意匠パネル（Ｃ）
４２  意匠パネル（Ｄ）
【図１】
0003179908.tif 000003
【図２】
0003179908.tif 000004
【図３】
0003179908.tif 000005
【図４】
0003179908.tif 000006
【図５】
0003179908.tif 000007
【図６】
0003179908.tif 000008